(57)【要約】【課題】異種データの検索に際して、位置情報により検索できる位置情報を使用した情報管理装置を提供する。【解決手段】データ本体或るいは属性情報に出現するキーワードによりデータを位置情報に変換して、その位置情報とデータ本体を記憶装置２に登録，管理し、データの検索に際しては、ユーザが指定するポイントまたは領域である位置情報が含まれるデータを、位置情報管理テーブル１５を用いて検索し、その結果をユーザインタフェース部１１に一覧表示するものである。【選択図】  図１
2004192367.tif 000002
【特許請求の範囲】
【請求項１】
データ登録要求を受付けデータ登録結果を表示するユーザインタフェース部と、該ユーザインタフェース部からのデータ登録要求によりキーワード・位置情報変換テーブルでデータのキーワードから位置情報への変換を行い、変換された位置情報を位置管理テーブルに登録するとともに、記憶装置にデータとして登録する位置情報登録部を備えた位置情報を使用した情報管理装置。
【請求項２】
データ検索要求を受付けデータ検索結果を表示するユーザインタフェース部と、該ユーザインタフェース部からのデータ検索要求により位置情報管理テーブル内を検索してユーザが指定する位置情報が含まれるデータを記憶装置に登録されたデータから検索するとともに、前記ユーザインタフェース部に検索結果を送信する位置情報検索部を備えた位置情報を使用した情報管理装置。
【請求項３】
記憶装置のデータがデータベース又はファイルシステムで構成されたものであって、データベースである場合はデータベース検索エンジン及びデータベースエージェントが、ファイルシステムである場合はファイルシステム管理部及びファイルシステムエージェントが設けられる請求項１又は２に記載の位置情報を使用した情報管理装置。
【請求項４】
前記位置情報検索部がカーナビゲーションシステムを構成する操作・表示部と接続され、前記記憶装置のデータが地域情報データベースである請求項２に記載の位置情報を使用した情報管理装置。
【請求項５】
前記データが、画像データ，地図データ，マルチメディアコンテンツのようにデータ本体にテキスト情報を持たないデータであって、付属する属性情報から位置情報への変換されたものである請求項１又は２に記載の位置情報を使用した情報管理装置。
【発明の詳細な説明】
【０００１】
【発明の属する技術分野】
本発明は、文書データ，画像データ，地図データ，マルチメディアコンテンツ等の異種コンテンツの蓄積，管理，検索に好適な位置情報を使用した情報管理装置に関する。
【０００２】
【従来の技術】
従来の技術として、
【特許文献１】に記載のように、類似文書型データベースと、キーワード検索型データベースを通信ネットワーク上に設け、類似文書型データベースが返す特徴単語群をキーワード検索型データベースへの入力に用いる文書検索システムがある。
【０００３】
【特許文献１】
特開２００２−２２２２１０号公報
【０００４】
【発明が解決しようとする課題】
情報処理システムの大規模化及びネットワークの高速化に伴い、情報処理システムで取り扱うデータ量は膨大なものとなっている。又、取り扱う情報の種類は、画像データ，地図データ，文書データ，マルチメディアコンテンツなどの異種データがあり、各々の異種データ間の関連性を管理する必要がある。
【０００５】
【特許文献１】に記載のような従来の技術では、データの種類毎に異なる検索方法を用いて検索を行い、検索により得られるデータに予め設定されるリンク情報により、異種データの関連性を有するデータを統合的に検索することが可能であった。
【０００６】
しかし、この検索方法では、ユーザが検索を行う際に適正なキーワードを入力できず、希望のデータが検索できない場合がある、リンク情報を張り巡らせるため、データベースが複雑となりメンテナンスが困難であるという問題がある。
【０００７】
本発明の目的は、文書データを位置情報により管理して画像データや地図データ等の位置情報を有するデータと同様な検索ができる情報管理装置を提供することにある。
【０００８】
【課題を解決するための手段】
上記の目的を達成するために、データ本体或るいは属性情報に出現するキーワードにより位置情報に変換し、変換した位置情報とデータ本体を蓄積，管理する。変換情報を位置情報からデータを自動的に検索するために、キーワードとして緯度経度、Ｘ，Ｙ，Ｚ座標等の任意の座標系及び空間を表現する名称である位置情報を定義して、市販の地名データベース，画像データや地図データのように予め位置情報を有するデータを管理する。
【０００９】
【発明の実施の形態】
本発明の一実施例を図１から図６により説明する。図１は、本実施例の位置情報管理装置の構成図である。
【００１０】
位置情報管理装置１は、ユーザからのデータ登録要求又はデータ検索要求を受付け、データ登録結果又はデータ検索結果を表示するユーザインタフェース部１１，ユーザインタフェース部１１からのデータ登録要求によりキーワード・位置情報変換テーブル１４を用いて、データの属性情報又はデータ本体（例えば本文のテキスト情報）に位置情報への変換が可能なキーワードが存在するかを判断し、キーワードから位置情報への変換を行い、変換した位置情報を位置情報管理テーブル１５に登録すると共に、データ本体を記憶装置２のデータベースに登録する位置情報登録部１２，ユーザインタフェース部１１からのデータ検索要求により、ユーザが指定するポイントまたは領域の位置情報が含まれるデータを位置情報管理テーブル１５から検索し、検索結果をユーザインタフェース部１１に一覧表示する位置情報検索部１３，位置情報登録部１２あるいは位置情報検索部１３からの要求によりデータベース検索エンジン２３を介してデータベースへのアクセスを行うデータベースエージェント１６で構成される。ここで、位置情報は緯度経度、Ｘ，Ｙ，Ｚ座標等の座標系及び空間を表現する名称である。
【００１１】
位置情報管理テーブル１５には、管理レコード１１３が設けられ、キーワードから位置情報への変換により得られる位置情報１１２と、記憶装置２のデータベースに登録したことを示す所在情報１１４が格納されている。一方、記憶装置２のデータベースには、データ２２に付属する属性情報２１２とデータ２２の所在情報２１３からなる属性レコード２１１を有する属性テーブル２１が設けられ、この属性テーブル２１を使用してデータ２２を管理している。属性テーブル２１は、データベース検索エンジン２３と接続されている。
【００１２】
このように構成することにより、異なるデータベースに管理されるデータと、それらを位置情報により統合的に管理する位置情報管理装置を実現できる。ここで、位置情報管理装置１は記憶装置２と別体の例で説明したが、一体であってもよい。
【００１３】
位置情報登録は、位置情報管理装置１を使用して、データベース内のデータ２２に位置情報登録するときの流れ図である図２に示すように行われる。
【００１４】
ステップ３１で、ユーザは、ユーザインタフェース部１１を使用して、登録するデータを入力する。ステップ３２で、入力されたデータは、ユーザインタフェース部１１から位置情報登録部１２に送信され、ステップ３３で、キーワード・位置情報変換テーブル１４に定義されるキーワード１１１が、データのデータ本体または属性情報に存在するかを判断し、存在する場合は、ステップ３４でキーワード・位置情報変換テーブル１４に基づいてキーワード１１１を位置情報112に変換する。
【００１５】
ステップ３５で、位置情報登録部１２は、データベースエージェント１６にデータ登録要求を行い、ステップ３６で、データベースエージェント１６はデータベースのデータベース検索エンジン２３にアクセスし、データ２２に登録を行い、ステップ３７で、データの登録完了通知と所在情報１１４を取得する。ステップ３８で、得られた位置情報１１２と所在情報１１４を、位置情報管理テーブル１５に登録する。ここで、画像データ，地図データ，マルチメディアコンテンツ等のようにデータ本体にテキスト情報を持たないデータに対しても、位置情報がデータのデータ本体または属性情報に存在するかを判断し、キーワード・位置情報変換テーブル１４に基づいてキーワード１１１を位置情報１１２に変換する。
【００１６】
位置情報検索は、位置情報管理装置１を使用して、ユーザが指定する検索条件に基づき、データベース内のデータ２２を検索する流れ図である図３に示すように行われる。
【００１７】
ステップ４１で、ユーザは、ユーザインタフェース部１１を使用して、検索を行うポイントまたは領域である位置情報を指定して検索を要求する。ステップ４２で、ユーザインタフェース部１１は、その位置情報を位置情報検索部１３に送信して位置情報が含まれる情報の検索を要求する。ステップ４３で、位置情報検索部１３は、位置情報管理テーブル１５内を検索し、受信した位置情報が含まれる管理レコード１１３を抽出する。ステップ４４で、位置情報検索部１３は、データベースエージェント１６に管理レコード１１３に対応した属性レコード２１１の検索を行う。ステップ４５で、データベースエージェント１６は、データベース検索エンジン２３にアクセスし、ステップ４６で、管理レコード１１３の所在情報１１４に対応する属性レコード２１１を取得し、属性レコード２１１と管理レコード１１３を、ユーザインタフェース部１１に送信する。
【００１８】
ステップ４７で、ユーザインタフェース部１１は、属性レコード２１１の検索結果を受信して一覧表示する。ステップ４８で、ユーザが検索結果の一覧から属性レコード２１１の内容を選択する。ステップ４９で、ユーザインタフェース部１１は、位置情報検索部１３に対し、ユーザが選択した属性レコード２１１に対応するデータの取得を要求する。ステップ５０で、位置情報検索部１３は、データベースエージェント１６にデータの検索要求を行い、ステップ５１で、データベースエージェント１６は、データベース検索エンジン２３にアクセスし、データの取得を要求する。ステップ５２で、データベース検索エンジン２３は、データ２２から要求されたデータを検索して取得しユーザに提供する。
【００１９】
図１に示す例では、記憶装置２はデータベースで構成したが、図４に示すように、記憶装置３をファイルシステムで構成してもよい。図４に示す例では、位置情報管理テーブル１５の管理レコード１１３の所在情報１１４は、ファイルシステム内のファイル３２の所在情報として登録されている。ファイルシステムにアクセスするために、位置情報管理装置１にはファイルシステムエージェント１７を設け、ファイルシステムにはファイルシステム管理部３３を設けている。なお、図１に示すデータベースと、図４に示すファイルシステムを１つの記憶装置内に設けてもよい。
【００２０】
図１に示す例では、位置情報登録部１２とキーワード・位置情報変換テーブル１４を接続する構成としているが、図５に示すように、キーワード・位置情報変換テーブル１４を位置情報登録部１２と位置情報検索部１３に接続する構成としてもよい。
【００２１】
このように構成することにより、位置情報登録部１２によって蓄積されたデータに対して、全文検索，自然文検索，属性検索等のキーワードの検索キーワードを用いて検索することができる。
【００２２】
すなわち、ユーザは、ユーザインタフェース部１１を使用して検索キーワードを入力し、入力された検索キーワードを位置情報検索部１３に送信して検索を要求する。位置情報検索部１３は、キーワード・位置情報変換テーブル１４に定義されるキーワード１１５が、検索キーワードに存在するかを判断し、存在する場合はキーワード・位置情報変換テーブル１４によりキーワード１１５を位置情報１１６に変換を行い、その位置情報１１６を用いて位置情報管理テーブル１５内を検索することができる。
【００２３】
図６は、位置情報管理装置１をカーナビゲーションシステム４に適用した場合の構成図である。この例のカーナビゲーションシステム４には、操作・表示部４１が設けられ、操作・表示部４１は位置情報管理装置１の位置情報検索部１３を介してデータベースエージェント１６と接続され、ユーザインタフェース部１１は位置情報登録部１２を介してデータベースエージェント１６と接続されている。データベースエージェント１６は記憶装置５の地域情報データベースと接続されている。
【００２４】
操作・表示部４１からの要求は、位置情報管理装置１の位置情報検索部１３に送信され、位置情報検索部１３は、データベースエージェント１６を経由して、地域情報データベースにアクセスする。地域情報データベースを検索した結果は操作・表示部４１に表示される。
【００２５】
このように、操作・表示部４１から位置情報を指定して検索を行うことにより、景観を示す画像データと、それを説明する文書データを、リンク情報なしに容易に検索することが可能である。又、現在位置を特定するために地図情報をガイドとして、この位置情報に関連する画像データ，文書データ等の検索，表示を行うことができる。
【００２６】
【発明の効果】
本発明によれば、文書データ，画像データ，地図データ，マルチメディアコンテンツ等の異種データを位置情報により管理することで、同一な検索手段を提供し、リンク情報なしで関連情報を検索できるとともに、データベースの構造を簡素化することができる。
【図面の簡単な説明】
【図１】本発明の一実施例である位置情報管理装置の構成図である。
【図２】位置情報管理装置を用いて、位置情報を登録する流れ図である。
【図３】位置情報管理装置を用いて、各種データの検索を行う流れ図である。
【図４】記憶装置をファイルシステムで構成した例を示す構成図である。
【図５】データの検索を検索キーワードで行う位置情報管理装置の構成図である。
【図６】位置情報管理装置をカーナビゲーションシステムに適用した例を示す構成図である。
【符号の説明】
１…位置情報管理装置、２，３，５…記憶装置、４…カーナビゲーションシステム、１１…ユーザインタフェース部、１２…位置情報登録部、１３…位置情報検索部、１４…キーワード・位置情報変換テーブル、１５…位置情報管理テーブル、１６…データベースエージェント、１７…ファイルシステムエージェント、２１…属性テーブル、２２，５２…データ、２３…データベース検索エンジン、４１…操作・表示部、６２…ファイル、６３…ファイルシステム管理部、１１１，１１５…キーワード、１１２，１１６…位置情報、１１３…管理レコード、１１４，２１３…所在情報、２１１…属性レコード、２１２…属性情報。
【図１】
2004192367.tif 000003
【図２】
2004192367.tif 000004
【図３】
2004192367.tif 000005
【図４】
2004192367.tif 000006
【図５】
2004192367.tif 000007
【図６】
2004192367.tif 000008